(57)【要約】【課題】  主サイトで一度アクセスを許可されたユーザーであるならば、関連サイトへのアクセスを自由に認める一方、主サイトを介さずに関連サイトへ直接アクセスすることを防止できるインターネット情報サービスシステムを提供する。【解決手段】  ユーザーが最初にアクセスするＷｅｂページを有する主サイト２２と、主サイト２２にリンクされた複数の関連サイト２３からなるインターネット情報サービスシステムであって、  前記主サイト２２は、ユーザー認証手段２５と、セッション情報データベース２８と、主サイト連係情報付加手段２６と、主サイト連係情報処理手段２７と、を有し、  副サイト２３は、副サイト連係情報処理手段３１と、副サイト連係情報付加手段３０と、を有する。【選択図】  図５
2004310786.tif 000002
【特許請求の範囲】
【請求項１】
ユーザーが最初にアクセスするＷｅｂページを有し、インターネットを介してユーザーに情報提供サービスを行う主サイトと、前記主サイトのＷｅｂページにリンクされ、主サイトの情報提供サービスに関連する情報提供サービスを行う副サイトとからなる複数の関連サイトで情報提供を行うインターネット情報サービスシステムであって、
前記主サイトは、ユーザー認証手段と、ログオンしたユーザーの一連の処理を識別するセッション情報を記憶管理するセッション情報データベースと、ユーザー識別情報とセッション情報とリンク元サイト情報とを含む連係情報を暗号化してユーザーのコンピューターに送ってユーザーのコンピューター上にそのブラウザと連動する連係情報ファイルを形成する主サイト連係情報付加手段と、ユーザーから再アクセスがあった時に連係情報を復号化し、前記セッション情報データベースを参照して当該ユーザーの再アクセスを許否する主サイト連係情報処理手段と、を有し、
前記副サイトは、ユーザーからアクセスがあった時に連係情報を復号化し、アクセスを許否する副サイト連係情報処理手段と、ユーザーが他の関連サイトにアクセスしようとする時にそれまでの連係情報にリンク元サイト情報を付加する副サイト連係情報付加手段と、を有することを特徴とするインターネット情報サービスシステム。
【請求項２】
前記副サイトはそのサイトでの処理の終了後、ユーザーに前記主サイトに再接続させ、前記主サイトはユーザーがアクセスした副サイトの履歴を前記セッション情報データベースに記録し、ユーザーがアクセスした副サイトの種類と時間に応じて個別のレートの課金を行うことを特徴とする請求項１に記載のインターネット情報サービスシステム。
【発明の詳細な説明】
【技術分野】
【０００１】
本発明は、互いに関連する情報を提供する複数の関連サイトの連係によってユーザーに情報提供サービスを行うインターネット情報サービスシステムに関する。
【０００２】
特に、本発明は、同一グループ内の関連サイトの連係関係を強め、単一の関連サイトへの割り込み的アクセスを防止するインターネット情報サービスに関する。
【背景技術】
【０００３】
インターネット上にＷｅｂページを開き、アクセスしたユーザーに種々の情報提供サービスを行うことは広く行われている。提供する情報が価値ある情報の場合に、Ｗｅｂページへのアクセスを有料とし、登録したユーザーだけがアクセスできるようにした情報提供サービスも広く見られるようになった。
【０００４】
さらに最近はインターネット上で提供する情報がより複雑化、高度化したため、単一のサイトによる情報提供に代わり、情報提供サービスのアウトソーシングを行い、関連情報を複数の関連サイトによって提供するインターネット情報サービスシステムが見られるようになった。
【０００５】
これらの複数の関連サイトを有するインターネット情報サービスシステムでは、通常はユーザーが最初にアクセスするＷｅｂページ（このＷｅｂページを有するサイトを本明細書では主サイトという）を有し、そのＷｅｂページから他の関連サイト（この関連サイトを本明細書では副サイトという）に接続するようにしている。
【０００６】
主サイトのＷｅｂページには副サイトのＷｅｂページにアクセスするためのボタンやフレームＵＲＬが設けられており、これらのボタンやフレームＵＲＬをクリックすることにより、そのボタンやフレームＵＲＬに埋め込まれたアドレス（ＵＲＬ）が示す副サイトにアクセスするのである。
【０００７】
この場合、ユーザー側から見れば、主サイトから副サイトに接続したように見えるが、アクセスを受けた副サイト側から見れば、主サイトを介して接続された場合もそうでない場合（主サイトと関係なく接続された場合）も区別されない。
【０００８】
したがって、副サイトでも有料の情報提供サービスを行う場合は、正規のユーザーであることを確認するために新たにユーザー認証を行う必要がある。
【０００９】
このため、従来の有料のインターネット情報提供サービスでは、最初のＷｅｂページにアクセスする際に正規ユーザーか否かの認証を行い、副サイトに接続する際は、フリーパスのアクセスを認めたり、あるいは新たにユーザーにパスワードを入力させるなどしてユーザー認証を行っている。
【発明の開示】
【発明が解決しようとする課題】
【００１０】
今後、ますますインターネットによる情報提供サービスの必要性が増大し、その提供する情報（コンテンツ）は、ますます複雑化・高度化することが予想される。
【００１１】
単一のサイトで提供できる情報は限度があるため、複数のサイトの連係による有料のインターネット情報提供サービスの必要性がますます大きくなっている。
【００１２】
しかし、上述した従来の複数サイトの連係によるインターネット情報サービスのように、副サイトの方でユーザーのアクセスがある度にユーザー認証を行うようにすると、関連サイト間の一体性が失われて好ましくない。また、ユーザーはサイトが変更するたびにパスワード等を入力するように求められ、不便である。
【００１３】
一方、副サイトでユーザー認証を行わないことにすれば、一度副サイトにアクセスしたことがあれば、その副サイトのＵＲＬが流出し、以降当該副サイトへ直接アクセスされた場合には、無料のコンテンツ閲覧を防止することができなくなる。
【００１４】
そこで、本発明が解決しようとする一つの課題は、主サイトで一度アクセスを許可されたユーザーであるならば、関連サイトへのアクセスを自由に認める一方、主サイトを介さずに関連サイトへ直接アクセスすることを防止できる「複数の関連サイトで情報提供を行うインターネット情報サービスシステム」を提供することにある。
【００１５】
「複数の関連サイトで情報提供を行うインターネット情報サービスシステム」におけるもう一つの問題は、その課金にある。
【００１６】
従来の技術では、副サイトがフリーのアクセスを認める場合はもちろん、副サイトでその都度ユーザー認証をする場合でも、直接副サイトへアクセスした場合には主サイト側でそれを把握することができなかった。
【００１７】
したがって、副サイトが主サイトによってユーザーを得て、以降独自にアクセスしたユーザーに対して課金し、利益を上げることが考えられる。
【００１８】
このことは、主サイトの情報提供事業者に、情報提供サービスを関連サイトにアウトソーシングすることを躊躇させることとなり、全体として情報提供サービスのアウトソーシングを抑止し、複数関連サイトによる情報提供サービスの発展を阻害することになっていた。
【００１９】
また、従来の複数の関連サイトによるインターネット情報サービスシステムでは、関連サイト個々に異なる課金レートを設定して、ユーザーがアクセスした関連サイトに応じて課金することができなかった。
【００２０】
複数の関連サイトの連係によって情報を提供しようとする場合には、関連サイトの全てが同一の価値のコンテンツを提供するとは限らないのが実状である。その場合に、提供する情報の価値に応じて個別のレートで課金するのが真の意味で公平であり、このことが情報提供業者のインセンティブにつながり、より価値の高いコンテンツの提供につながる。
【００２１】
このように複数の関連サイトで情報提供を行う場合には、不正なユーザーアクセスを防止すると共に、主サイトと副サイトの双方にとって公平であるシステムが要求される。
【００２２】
そこで、本願発明が解決しようとするもう一つの課題は、副サイトへのアクセスを把握し、ユーザーがアクセスした副サイトの種類や時間に応じて個別の課金レートで課金を行うことができる「複数の関連サイトで情報提供を行うインターネット情報サービスシステム」を提供することにある。
【課題を解決するための手段】
【００２３】
本発明に係るインターネット情報サービスシステムは、
ユーザーが最初にアクセスするＷｅｂページを有し、インターネットを介してユーザーに情報提供サービスを行う主サイトと、前記主サイトのＷｅｂページにリンクされ、主サイトの情報提供サービスに関連する情報提供サービスを行う副サイトとからなる複数の関連サイトで情報提供を行うインターネット情報サービスシステムであって、
前記主サイトは、ユーザー認証手段と、所定期間ごとに一定のアルゴリズムによって生成したデータを各副サイトのＵＲＬの一部に組み込む主サイトＵＲＬ変更手段とを有し、
前記副サイトは、前記主サイトと同一の期間と同一のアルゴリズムとによって自らのＵＲＬを書き換える副サイトＵＲＬ変更手段を有することを特徴とするものである。
【００２４】
本発明に係るインターネット情報サービスシステムは、
ユーザーが最初にアクセスするＷｅｂページを有し、インターネットを介してユーザーに情報提供サービスを行う主サイトと、前記主サイトのＷｅｂページにリンクされ、主サイトの情報提供サービスに関連する情報提供サービスを行う副サイトとからなる複数の関連サイトで情報提供を行うインターネット情報サービスシステムであって、
前記主サイトは、ユーザー認証手段と、所定期間ごとに一定のアルゴリズムによって生成したデータを各副サイトのＵＲＬの一部に組み込む主サイトＵＲＬ変更手段と、前記主サイトＵＲＬ変更手段によって変更した各副サイトのＵＲＬをそれぞれの副サイトに通知するＵＲＬ通知手段を有し、
前記副サイトは、前記主サイトのＵＲＬ通知手段によって通知されたＵＲＬにしたがって自らのＵＲＬを変更する副サイトＵＲＬ変更手段を有することを特徴とするものである。
【００２５】
本発明に係るインターネット情報サービスシステムは、
ユーザーが最初にアクセスするＷｅｂページを有し、インターネットを介してユーザーに情報提供サービスを行う主サイトと、前記主サイトのＷｅｂページにリンクされ、主サイトの情報提供サービスに関連する情報提供サービスを行う副サイトとからなる複数の関連サイトで情報提供を行うインターネット情報サービスシステムであって、
前記主サイトは、ユーザー認証手段と、ログオンしたユーザーの一連の処理を識別するセッション情報を記憶管理するセッション情報データベースと、ユーザー識別情報とセッション情報とリンク元サイト情報とを含む連係情報を暗号化してユーザーのコンピューターに送ってユーザーのコンピューター上にそのブラウザと連動する連係情報ファイルを形成する主サイト連係情報付加手段と、ユーザーから再アクセスがあった時に連係情報を復号化し、前記セッション情報データベースを参照して当該ユーザーの再アクセスを許否する主サイト連係情報処理手段と、を有し、
前記副サイトは、ユーザーからアクセスがあった時に連係情報を復号化し、アクセスを許否する副サイト連係情報処理手段と、ユーザーが他の関連サイトにアクセスしようとする時にそれまでの連係情報にリンク元サイト情報を付加する副サイト連係情報付加手段と、を有することを特徴とするものである。
【００２６】
本発明に係るインターネット情報サービスシステムは、
前記副サイトはそのサイトでの処理の終了後、ユーザーに前記主サイトに再接続させ、前記主サイトはユーザーがアクセスした副サイトの履歴を前記セッション情報データベースに記録し、ユーザーがアクセスした副サイトの種類と時間に応じて個別のレートの課金を行うことを特徴とするものである。
【発明の効果】
【００２７】
本発明の「複数の関連サイトで情報提供を行うインターネット情報サービスシステム」によれば、各副サイトでユーザーにパスワードの入力を求めることなく、本サイトを経由した正規のユーザーであることを確認することができる。
【００２８】
これにより、複数の関連サイトによる情報提供サービスの一体性・連続性を維持できるとともに、サイトを変更する度にユーザー認証を行う煩雑さを解決することができる。
【００２９】
また、本発明のインターネット情報サービスシステムによれば、関連の副サイトのＵＲＬが不断に変更されているので、本サイトを経由しない不正なユーザーアクセスを排除できるとともに、各関連サイトが独自にアクセスしたユーザーによって利益を上げることも防止することができる。
【００３０】
本発明のインターネット情報サービスシステム２１によれば、ユーザーが閲覧したすべての関連サイト、および、それらの接続時間等、閲覧の履歴を主サイトで集中的に把握することができるので、各関連サイトの個別の課金レートによって課金できる。
【００３１】
その上、上記課金は、主サイトによって集中的に管理できるので、各副サイトで個別に課金の管理を行ったり、ユーザーのアクセス実績を主サイトに報告する必要がなくなる。これにより、膨大な課金管理のためのデータ処理を省くことができる。
【発明を実施するための最良の形態】
【００３２】
次に、本発明による「複数の関連サイトで情報提供を行うインターネット情報サービスシステム」の実施形態について図面を用いて以下に説明する。
【００３３】
図１に、複数の関連サイトで情報提供を行うインターネット情報サービスシステムの構成を簡単に示す。
【００３４】
図１に示すように、インターネット情報サービスシステム１は、主サイト２と、副サイト３と、ユーザーのコンピューター４と、それらの間に介在するインターネット５とを含む。
【００３５】
図１においては、簡単に示すために副サイト３とユーザーのコンピューター４はともに１つずつのみ示しているが、実際にはこれらは多数存在する。主サイト２は、通常１つである。
【００３６】
また、本願明細書において「サイト」というのは、情報提供サービスを行うサーバー等の情報処理装置とインターネット上に掲示するＷｅｂページ群を総称するものとする。
【００３７】
主サイト２と副サイト３は、互いに関連する分野の情報提供サービスを行う。主サイト２と副サイト３は、本明細書ではこれらをまとめて「関連サイト」という。
【００３８】
このようなインターネット情報サービスシステム１では、ユーザー（ユーザーのコンピューター４）は、最初に主サイト２にアクセスする。
【００３９】
主サイト２は、特定の関連情報についてさらに詳細な情報提供を行う副サイト３がある場合には、そのＷｅｂページ上に設けられたボタンやフレームによって当該副サイト３にリンクしている。
【００４０】
ユーザーは、主サイト２を閲覧し、さらに詳細な情報を提供する副サイト３にアクセスしたい場合には、上記ボタンやフレームＵＲＬをクリックすることによって直ちに目的の副サイト３にアクセスすることができる。
【００４１】
このように、主サイト２のＷｅｂページから他のサイトのＷｅｂページにアクセスする場合、ユーザーのコンピューター４上では異なるサイトのＷｅｂページが継ぎ目なく表示されるが、インターネット５上では、一回一回新たに異なるＵＲＬのサイトにアクセスすることになる（図１のアクセス(1)，(2)）。
【００４２】
「ＵＲＬ」とは、Uniform Resource Locatorの略であり、インターネット上のリソースのロケーション、すなわち目的とするファイルの場所を示すものをいう。
【００４３】
ＵＲＬは、たとえば、http://www.aaa.co.jp:80/bbbxxx.htmlというように記述され、スキーム名(http)://サーバー名（aaa.co.jp）:ポート番号(80)/パス名（bbbxxx.html）からなる。なお、パス名(bbbxxx.html)は、サーバー中の目的とする文書を指す。
【００４４】
リンク用のボタンには、ＵＲＬが埋め込まれており、リンク用のボタンをクリックする動作は、そのＵＲＬのサイトにアクセスする操作となる。
【００４５】
本実施形態の主サイト２は、不変の固定的なＵＲＬを有している。
【００４６】
これに対して副サイト３は、一定期間ごとに可変のＵＲＬを有している。
【００４７】
ここで、ＵＲＬ変更のための構成を説明する。
【００４８】
図２に、主サイト２と副サイト３の構成を示す。
【００４９】
主サイト２は、認証手段６と、主サイトＵＲＬ変更手段７と、副サイトＵＲＬデータベース８とを有している。
【００５０】
副サイト３は、副サイトＵＲＬ変更手段９を有している。また、主サイト２と副サイト３は、同一のＵＲＬ変更アルゴリズム１０とその元データ１１とを有している。
【００５１】
主サイトＵＲＬ変更手段７は、所定期間ごとに一定のアルゴリズム（ＵＲＬ変更アルゴリズム１０）によって生成したデータを各副サイトのＵＲＬの一部に組み込む手段である。元データ１１は、上記ＵＲＬ変更アルゴリズム１０が使用する元データである。
【００５２】
ＵＲＬ変更アルゴリズム１０は、任意のアルゴリズムでもよいが、例えばダイジェスト関数のように、複数の元データから同一の結果を得られる関数とするのが好ましい。
【００５３】
元データ１１は、例えば日付や時間、あるいは日付や時間とともに変更されるデータとする。元データ１１は、主サイト２と副サイト３の双方で予め定めておく。
【００５４】
主サイトＵＲＬ変更手段７は、一定時間ごとに元データ１１を使用して、ＵＲＬ変更アルゴリズム１０から所定のデータを生成し、これを各副サイトのＵＲＬのパス名(bbbxxx.html)の一部に組み込むことによってそれらのＵＲＬを変更する。
【００５５】
変更された副サイトのＵＲＬは、主サイト２のＷｅｂページのリンク先に反映される。
【００５６】
副サイトＵＲＬデータベース８は、各副サイトのＵＲＬを記憶管理するデータベースであるが、単なるファイル形式でもよいし、各副サイトのＵＲＬを書き換えるだけの場合は省略することができる。
【００５７】
副サイトＵＲＬ変更手段９は、主サイト２と同一のＵＲＬ変更アルゴリズム１０と元データ１１によって、自らのＵＲＬを書き換える手段である。
【００５８】
以上の構成により、主サイト２と副サイト３は以下の処理を行う。
【００５９】
ユーザーは、最初に不変のＵＲＬを有する主サイト２のＷｅｂページにアクセスする。
【００６０】
ユーザーのアクセスに対して主サイト２の認証手段６は、正規のユーザーであるか否かを認証する。ユーザー認証は、パスワードの入力等によって行うことができる。
【００６１】
ユーザーが主サイト２から所定の副サイト３に接続しようとする場合は、主サイト２のＷｅｂページ上のリンク用ボタンをクリックするが、そのリンク用ボタンに埋め込まれたＵＲＬは、一定時間ごとに変更されたＵＲＬとなっている。
【００６２】
一方、副サイト３側でも主サイト２に対応して一定時間ごとに変更した同一のＵＲＬを使用している。
【００６３】
このような構成により、主サイト２からのリンクであれば、ユーザーは問題なく副サイト３にアクセスすることができるが、主サイト２を介さずに以前にアクセスしたＵＲＬ等によって副サイト３に直接アクセスしようとしても、目的の副サイト３にアクセスすることができない。
【００６４】
また、以前にアクセスした副サイト３のＵＲＬからは、ダイジェスト関数の働きによって元データ１１が多重に求められるので、元データ１１を知らない限り副サイト３のＵＲＬを得ることができない。
【００６５】
これにより、主サイト２にとってみれば、ユーザーによる関連サイトの無料の閲覧を防止できる。主サイト２から副サイト３に接続を変更するときに、ユーザーの識別情報を副サイト３に渡さないようにすれば、副サイト３が主サイト２から一旦顧客を獲得した後に独自に情報提供サービスを行うことを防止することもできる。
【００６６】
また、副サイト３は、主サイト２を介してアクセスするユーザーは主サイト２の認証手段６によって認証済みのユーザーであることが保証されているので、再度ユーザー認証を行うことなく、不正なユーザーによるアクセスを防止することができる。
【００６７】
さらに、ユーザーにとってみれば、関連サイトにアクセスする度にパスワードの入力を求められる煩雑を避けることができるのである。
【００６８】
次に、上記実施形態の変形例を示す。
【００６９】
図３に、この変形例による主サイト２と副サイト３の構成を示す。
【００７０】
この変形例では、主サイト２がＵＲＬ変更手段１２を有し、副サイト３はＵＲＬ変更アルゴリズム１０と元データ１１を有していない点で図２の主サイト２と副サイト３と異なる。他の構成は図２の実施形態と全く同様である。
【００７１】
この変形例では、副サイト３が主サイト２と同期的に自らのＵＲＬを変更する代わりに、主サイト２側で各副サイト３のＵＲＬを変更し、変更したＵＲＬをＵＲＬ変更手段１２によって各副サイト３に通知する。
【００７２】
副サイト３では、副サイトＵＲＬ変更手段９が通知されたＵＲＬに従って自らのＵＲＬを書き換えるようにする。
【００７３】
この変形例によれば、主サイト２が一義的に副サイト３のＵＲＬを変更するので、通知が確かに行われれば、主サイト２と副サイト３のＵＲＬの不一致を防止することができる。
【００７４】
また、この変形例によれば、主サイト２側で不定期に副サイト３のＵＲＬを変更することも可能であり、より柔軟で不正アクセスに対して強固なシステムを構築することができる。
【００７５】
次に本発明の第二の実施形態について以下に説明する。
【００７６】
図４にこの実施形態の構成を示す。
【００７７】
図４に示すように、本実施形態は物理的な構成という意味では図１と変わらない。ただし、本実施形態では、主サイト２２から副サイト２３へ接続するとき、あるいは副サイト２３から主サイト２２へ再接続するときに、連係情報を受け渡していくようにしている。
【００７８】
連係情報というのは、一つのサイトから別の関連サイトに接続を変えるときに、同一のインターネット情報サービスシステム２１のグループ内から受け渡されたユーザーであることを確認するための情報である。
【００７９】
連係情報は、ユーザー識別情報とセッション情報とリンク元サイト情報とを含む。ユーザーがあるサイトから関連サイトに接続を変える場合には、リンク元のサイトはそれまでの連係情報の末尾に自らのサイトの識別情報を追加して連係情報として次に関連サイトに送信させる。これにより、連係情報を受け取ったサイトは、最初に付された本サイトのユーザー認証（セッション情報に含まれている）とそのユーザーが経由したサイトから、そのアクセスが正規のユーザーによるアクセスであることを確認することができる。
【００８０】
連係情報に含まれるセッション情報というのは、ログオンしたユーザーの一連の処理を特定する情報であって、インターネット情報サービスシステム２１にログオンしてから当該システムの関連サイト群からログオフするまでの一連の処理を識別する識別情報である。
【００８１】
セッション情報は、同一のユーザーであっても、ログオンする度に異なるセッション情報が付与される。
【００８２】
次に本実施形態の各サイトの内部構成とそれらの処理の流れについて以下に説明する。
【００８３】
図５に本実施形態のインターネット情報サービスシステム２１における主サイト２２と副サイト２３とユーザーコンピューター２４の構成とそれらの処理の流れを示す。
【００８４】
図５に示すように、主サイト２２はユーザー認証手段２５と、主サイト連係情報付加手段２６と、主サイト連係情報処理手段２７と、セッション情報データベース２８と、課金レートデータベース２９とを有している。
【００８５】
ユーザー認証手段２５は、最初に主サイト２２にアクセスしたユーザーに対してユーザー認証を行う手段である。
【００８６】
セッション情報データベース２８は、セッション情報を記憶管理するデータベースである。
【００８７】
主サイト連係情報付加手段２６は、ユーザーが主サイト２２から副サイト２３に接続を変更する場合に、ユーザー識別情報とセッション情報とリンク元サイト情報（本サイト２２の識別情報）とを含む連係情報を生成し、暗号化してユーザーコンピューター２４に送ってユーザーコンピュータ２４上にそのブラウザ３４と連動する連係情報ファイル３５を形成する手段である。
【００８８】
主サイト連係情報処理手段２７は、ユーザーから再アクセスがあった時に連係情報を復号化し、セッション情報データベース２８を参照して当該ユーザーの再アクセスを許否する手段である。
【００８９】
課金レートデータベース２９は、各副サイト２３の個別の課金レートを記憶管理するデータベースである。課金レートを別途用意したテーブル等によって管理する場合には、課金レートデータベース２９を省略することができる。
【００９０】
副サイト２３は、副サイト連係情報付加手段３０と、副サイト連係情報処理手段３１と、コンテンツ３２と、関連サイトデータベース３３とを有している。
【００９１】
副サイト連係情報処理手段３１は、ユーザーからアクセスがあった時に連係情報を復号化し、アクセスを許否する手段である。
【００９２】
副サイト連係情報付加手段３０は、ユーザーが他の関連サイト（この場合は主サイト２２）にアクセスしようとする時に、それまでの連係情報にリンク元サイト情報（副サイト２３の識別情報）を付加する手段である。
【００９３】
関連サイトデータベース３３は、同一のインターネット情報サービスシステム２１に含まれる関連サイトの識別情報を記憶管理するデータベースである。
【００９４】
関連サイトデータベース３３は、セッション途中で外部のサイトにアクセスしたユーザーのアクセスを排除するために特に厳重に設けたものであるので、セキュリティの程度によりこれを省略することができる。
【００９５】
ユーザーコンピューター２４は、コンテンツ閲覧のためのブラウザー３４と、連係情報ファイル３５とを有している。
【００９６】
連係情報ファイル３５は、上記主サイト連係情報付加手段２６や副サイト連係情報付加手段３０によって生成され、ブラウザー３４と連動する送信される連係情報を記録したファイルである。
【００９７】
上記構成に基づいて次にこのインターネット情報サービスシステム２１の処理の流れについて説明する（図５参照）。
【００９８】
ユーザーは最初に主サイト２２にアクセスする。
【００９９】
主サイト２２のユーザー認証手段２５は、ユーザーにパスワード等を入力させ、正規のユーザーであるか否かを判断する。
【０１００】
ユーザー認証手段２５が正規のユーザーであると判断した場合にのみ、セッション情報が生成され、セッション情報データベース２８に書き込まれる。
【０１０１】
セッション情報には、好ましくはユーザーがログオンした時間を含むようにする。
【０１０２】
ユーザーが主サイト２２から所定の副サイト２３に接続を変更しようとする場合、ユーザーによるリンク用ボタンのクリックを主サイト連係情報付加手段２６が検知する。主サイト連係情報付加手段２６は、連係情報を生成して、これを暗号化して当該ユーザーコンピューター２４に送信し、ユーザーコンピューター２４上にブラウザー３４と連動する連係情報ファイル３５を生成する（図５における矢印（ａ））。
【０１０３】
連係情報は、上述したように、ユーザー識別情報とセッション情報と主サイト２２の識別情報とを含むようにする。
【０１０４】
ユーザーコンピューター２４が新たにリンク先の副サイト２３に接続を試みるときは、当該副サイト２３のへのアクセス要求とともに連係情報が副サイト２３に送信される（図５における矢印（ｂ））。
【０１０５】
副サイト２３では、副サイト連係情報処理手段３１が、連係情報を復号化し、連係情報に正しいセッション情報が含まれかつ経由したサイトの識別情報がすべて正規の関連サイトの識別情報のみである場合にのみアクセスを許可する。
【０１０６】
なお、セッション情報の正しさは、正しいユーザーを示す特定のデータや、セッション情報に含まれている時間によって、チェックする。
【０１０７】
最初のユーザー認証時間からあまりにも長く時間が経過したユーザーのアクセスは、不正なアクセスと判断して排除するようにする。
【０１０８】
副サイト連係情報処理手段３１によってアクセスを許可されたユーザーは、コンテンツ３２を閲覧した後、他の副サイトに接続を望む場合、及び、セッションを終了しようとする場合は、主サイト２２に接続を変更させられる。
【０１０９】
主サイト２２への接続変更が要求された場合は、副サイト連係情報付加手段３０がその要求を検知し、それまでの連係情報に自分の識別情報（副サイト２３の識別情報）を追加し、暗号化してユーザーコンピューター２４に送信し、ユーザーコンピューター２４上の連係情報ファイル３５を書き換える（図５における矢印（ｃ））。
【０１１０】
この書き換えられた連係情報、ユーザーによる主サイト２２への再アクセス要求とともに主サイト２２に送信される（図５における矢印（ｄ））。
【０１１１】
主サイト２２では、主サイト連係情報処理手段２７が、連係情報を復号化し、セッション情報データベース２８を参照して当該ユーザーの再アクセスを許否する。
【０１１２】
連係情報のチェックは、すでに説明したように、最初のユーザー認証から経過時間や、当該ユーザーが経由した関連サイト等による。
【０１１３】
ユーザーがセッションの終了を要求している場合は、セッション情報に当該ユーザーが閲覧したすべての関連サイトとそれらの接続時間をセッション情報データベース２８に書き込んで、当該セッションが正常に終了した識別情報を記録する。
【０１１４】
このセッション情報は、後に課金の計算に使用される。ユーザーが閲覧した関連サイト、その接続した時間等により、課金レートデータベース２９を参照して個別の課金レートで金額を計算し、別途課金するようにする。
【０１１５】
以上の処理から明らかなように、本実施形態のインターネット情報サービスシステム２１によれば、主サイト２２からのリンクであれば、ユーザーは問題なく副サイト２３にアクセスすることができるが、主サイト２２を介さずに副サイト２３にアクセスしようとすれば、副サイト連係情報処理手段３１が正規のユーザーによるアクセスと認めず、アクセスが許可されない。
【０１１６】
副サイト２３は、主サイト２２を介してアクセスするユーザーは主サイト２２の認証手段２５によって認証済みのユーザーであることが保証され、再度ユーザー認証を行うことなく、ユーザーのアクセスを許可あるいは許否することができる。
【０１１７】
ユーザーにとってみれば、関連サイトにアクセスする度にパスワードの入力を求められる煩雑を避けることができるのである。
【０１１８】
また、本実施形態によれば、主サイト２２で、ユーザーがアクセスした関連サイトの履歴を把握できるので、各関連サイト（副サイト２３）ごとに異なる課金レートを適用することができる。
【０１１９】
したがって副サイト２３にとってみれば、より付加価値の高い情報提供へのインセンティブが与えられ、全体として質の高い情報提供サービスを行うインターネット情報サービスシステム２１を実現することができる。
【図面の簡単な説明】
【０１２０】
【図１】本発明の第一実施態様によるインターネット情報サービスシステムの構成を示した図。
【図２】本発明の第一実施態様によるＵＲＬ変更をするための主サイトおよび副サイトの構成を示したブロック図。
【図３】本発明の第一実施形態の変形例によるＵＲＬ変更をするための主サイトおよび副サイトの構成を示したブロック図。
【図４】本発明の第二実施形態によるインターネット情報サービスシステムの構成を示した図。
【図５】本発明の第二実施形態による主サイトと副サイトの構成とその処理の流れを示したブロック図。
【符号の説明】
【０１２１】
１  インターネット情報サービスシステム
２  主サイト
３  副サイト
４  ユーザーのコンピューター
５  インターネット
６  認証手段
７  主サイトＵＲＬ変更手段
８  副サイトＵＲＬデータベース
９  副サイトＵＲＬ変更手段
１０  ＵＲＬ変更アルゴリズム
１１  元データ
１２  ＵＲＬ変更手段
２１  インターネット情報サービスシステム
２２  主サイト
２３  副サイト
２４  ユーザーのコンピューター
２５  ユーザー認証手段
２６  主サイト連係情報付加手段
２７  主サイト連係情報処理手段
２８  セッション情報データベース
２９  課金レートデータベース
３０  副サイト連係情報付加手段
３１  副サイト連係情報処理手段
３２  コンテンツ
３３  関連サイトデータベース
【図１】
2004310786.tif 000003
【図２】
2004310786.tif 000004
【図３】
2004310786.tif 000005
【図４】
2004310786.tif 000006
【図５】
2004310786.tif 000007